(57)【要約】      （修正有）【課題】開いた時の蓋が安定する包装箱とする。【解決手段】前板１、後板、両側板２、２、底片（底板）とから成る上面開口の四角箱状箱本体１０と，後板の上縁に折り目線を介して連接された蓋２０とから成る。蓋は、後板に折り目線を介し連接された上板と、その上板の前縁に折り目線を介して連接された前フラップ片１２と、前フラップ片の両側縁に折り目線を介して連接された側フラップ片１３、１３と、その両側フラップ片の上縁と上板の側縁との間に折り目線を介して連接された襠板１４とを有し、両側板の上縁に折り目線を介してそれぞれフラップ片８が連接され、襠板の側縁にも折り目線を介してフラップ片１５が連接されている。襠板を谷折りし両側片を重ねて上板の裏面に沿わせ、襠板のフラップ片を後板の内側に位置させ、両側板のフラップ片を襠板のフラップ片の上側に位置させる。このフラップ片の噛み合いによって蓋が安定する。【選択図】図２
2020079113.tif 000002
【特許請求の範囲】
【請求項１】
前板（１）、後板（３）、両側板（２、２）、底板（５、６）とから成る上面開口の四角箱状箱本体（１０）と、前記後板（３）に折り目線（ｒ）を介して連接された蓋（２０）とから成り、
上記蓋（２０）は、上記後板（３）の上縁に折り目線（ｒ）を介して連接された上板（１１）と、その上板（１１）の前縁に連接された前フラップ片（１２）と、その前フラップ片（１２）の両側縁に連接された側フラップ片（１３、１３）と、その両側フラップ片（１３）の上縁と上板（１１）の側縁との間に折り目線（ｒ）を介して連接された襠板（１４）とを有し
上記襠板（１４）は、上記側フラップ片（１３）の上縁と上板（１１）の側縁との両折り目線（ｒ、ｒ）の交点（ａ）からその交点角度を二分する中央折り目線（ｒ’）が形成されており、
上記両側板（２、２）の上縁に折り目線（ｒ）を介してそれぞれフラップ片（８）が連接され、上記襠板（１４）の側縁にも折り目線（ｒ）を介してフラップ片（１５）が連接されており、
上記襠板（１４）を中央折り目線（ｒ’）を介して谷折りしてその中央折り目線（ｒ’）の両側片（１４ａ、１４ａ）を重ねて上板（１１）の裏面に沿わせるとともに、その襠板（１４）のフラップ片（１５）を折り目線（ｒ）を介し折り曲げて上記後板（３）の内側に位置させ、上記両側板（２、２）のフラップ片（８）を折り目線（ｒ）を介し折り曲げて前記襠板（１４）のフラップ片（１５）の上側に位置させた
ことを特徴とする包装箱。
【請求項２】
上記前板（１）、後板（３）、両側板（２、２）、底板（５、６）、上板（１１）、前フラップ片（１２）、その前フラップ片（１２）の側フラップ片（１３、１３）、襠板（１４）、両側板（２、２）のフラップ片（８）、及び前記襠板（１４）のフラップ片（１５）が、それぞれ折り目線（ｒ）を介して連接された一枚の紙製ブランクからなる請求項１に記載の包装箱。
【発明の詳細な説明】
【技術分野】
【０００１】
この発明は、蓋によって封止（封緘）する四角状包装箱に関するものである。
【背景技術】
【０００２】
この種の四角状包装箱の一例を、この発明の一実施形態を示す図１、図２を参照して説明すると、前板１、後板３、両側板２、２、底板（底片）５、６によって四角状有蓋箱本体を構成し、その箱本体に同様な四角状蓋を有するものがある。
このような蓋付包装箱の蓋は、蓋の蓋板（上板）を箱本体の後板上縁に折り目線を介して連接し、その蓋板の両側及び前縁に折り目線を介して側フラップ片及び前フラップ片を連接するとともに、その両側フラップ片の上縁に折り目線を介して噛み合いフラップ片を連接し、蓋板に対し、両側フラップ片及び前フラップを谷折りして立ち上げるとともに、噛み合いフラップ片を噛み合わせてそれらの各フラップ片の立ち上がり状態を維持させて下面及び前面が開口した四角状の構成としたものがある（特許文献１図１、図２、図６等参照）。
【先行技術文献】
【特許文献】
【０００３】
【特許文献１】特開２０１２−１３６２５３号公報
【発明の概要】
【発明が解決しようとする課題】
【０００４】
上記従来の包装箱は、蓋がその上板を介して箱本体の後板に連接したものであり、蓋が箱本体に対して自由に動き得て安定的ではない。このように蓋が安定しないと、箱本体に商品を収納する際、不都合が生じる場合がある。
また、噛み合いフラップ片の噛み合わせ作業は繁雑であり、その改善が望まれている。
【０００５】
この発明は、以上の実状の下、上記蓋を安定にするとともに、蓋構成時の噛み合わせ作業をなくすことを課題とする。
【課題を解決するための手段】
【０００６】
上記課題を達成するため、この発明は、箱本体のフラップ片と蓋のフラップ片の噛み合いによって蓋を安定するようにしたのである。
具体的には、前板、後板、両側板、底板とから成る上面開口の四角箱状箱本体と，前記後板に折り目線を介して連接された蓋とから成り、前記蓋は、前記後板の上縁に折り目線を介して連接された上板と、その上板の前縁に連接された前フラップ片と、その前フラップ片の両側縁に連接された側フラップ片と、その両側フラップ片の上縁と上板の側縁との間に折り目線を介して連接された襠板とを有し、その襠板は、前記側フラップ片の上縁と上板の側縁との両折り目線の交点からその交点角度を二分する中央折り目線が形成され、前記両側板の上縁には折り目線を介してそれぞれフラップ片が連接され、襠板の側縁にも折り目線を介してフラップ片が連接されており、襠板を中央折り目線を介して谷折りしてその中央折り目線の両側片を重ねて上板の裏面に沿わせるとともに、その襠板のフラップ片を折り目線を介し折り曲げて後板の内側に位置させ、両側板のフラップ片を折り目線を介し折り曲げて襠板のフラップ片の上側に位置させる構成を採用したのである。
【０００７】
このように、襠板のフラップ片を後板の内側に位置させ、両側板のフラップ片をその襠板のフラップ片の上側に位置させると、側板のフラップ片で蓋のフラップ片を押さえることとなるため、箱本体に対し、蓋がぐらつくことがなく、安定する。
【０００８】
この構成の包装箱は、上記前板、後板、両側板、底板、上板、前フラップ片、その前フラップ片の側フラップ片、襠板、両側板のフラップ片、及び襠板のフラップ片が、それぞれ折り目線を介して連接された一枚の紙製ブランクから形成することが好ましい。
このようにすれば、貼着部分を極力少なくしてコストダウンを図ることができる。
【発明の効果】
【０００９】
この発明は、以上のように構成したので、蓋が安定した安価な包装箱となる。
【図面の簡単な説明】
【００１０】
【図１】この発明に係る包装箱の一実施形態の斜視図
【図２】同実施形態の蓋を開けた状態の斜視図
【図３】同実施形態の組み立て説明用部分斜視図
【図４】同実施形態の底側からの部分斜視図
【図５】同実施形態のブランクの平面図
【図６】同実施形態の搬送時の平面図
【図７】同実施形態の部分拡大切断側面図
【発明を実施するための形態】
【００１１】
この発明に係わる包装箱の一実施形態を図１〜図７に示し、この包装箱Ｐは、図５に示すボール紙製ブランクから形成される。
このブランクは、前板１、後板３、両側板２、２、底片（底板）５、６を折り目線ｒを介して連接した箱本体１０と、その箱本体１０の後板３に折り目線ｒを介して連接された上板１１と、その上板１１の前縁に折り目線ｒを介して連接された前フラップ片１２と、その前フラップ片１２の両側縁に折り目線ｒを介して連接された側フラップ片１３、１３と、その両側フラップ片１３の上縁と上板１１の側縁との間に折り目線ｒを介して連接された襠板１４とを有する蓋２０とからなる。
【００１２】
箱本体１０の両側板２、２の上縁には折り目線ｒを介してそれぞれフラップ片８が連接されている。
襠板１４には、側フラップ片１３の上縁と上板１１の側縁との両折り目線ｒ、ｒの交点ａからその交点角度を二分する（９０度を４５度と４５度に二分する）折り目線ｒ’が形成されている。その襠板１４の側縁にも折り目線ｒを介してフラップ片１５が連接されている。
なお、折り目線ｒは切り目のない線状であり、同ｒ’はミシン目の線状である。
【００１３】
このブランクは、まず、前板１に対し、側板２、後板３及び側板２をそれぞれ折り目線ｒを介して谷折りし、その側板２の糊片７を前板１の側縁裏面に貼着して四角枠状とする。それと同時に、底片５、６を従来と同様に噛み合わせて底片５の裏面と底片６の表面を貼着し、図４に示す底片５、６からなる底板を形成して有底の四角状箱本体１０を構成する。
この箱本体１０は、底片５がその中程の折り目線ｒ’によって谷折りが可能で、図６に示すように、底片５を谷折りして畳むことによって扁平の物となる。この箱本体１０が扁平状となって嵩の小さい状態で、その複数枚を重ねて搬送する。
【００１４】
つぎに、その扁平の包装箱から、折り畳まれた底片５を立ち上げる（山折りする）と、箱本体は図２〜図４の有底四角箱状となる。
この状態において、蓋１０の両襠板１４を中央折り目線ｒ’を介し谷折りしてその折り目線ｒ’の両側片１４ａ、１４ａを重ねて上板１１に沿わせると共に（図３、図７参照）、上板１１に対し前フラップ片１２、側フラップ片１３、１３を折り目線ｒを介して谷折りして前面及び下面が開口する四角状体を構成する。このとき、襠板１４のフラップ片１５は内側直角に折り曲げる。
【００１５】
その状態において、蓋２０を箱本体１０に被せつつ側板２のフラップ片８を内側に折り曲げて襠板１４のフラップ片１５の上側に位置させる（図２、図７参照）。この状態は、図２、図７に示すように、側板２のフラップ片８の折り目線ｒの端と蓋２０のフラップ片１５の折り目線ｒの端が衝合して噛み合い、側板２のフラップ片８で蓋２０のフラップ片１５を押さえているため、箱本体１０に対し、蓋２０がぐらつくことがない。
【００１６】
また、フラップ片８の折り目線ｒとフラップ片１５の折り目線ｒが噛み合うとともに、フラップ片８でフラップ片１５が押さえつけられているため、襠板１４の上板１１への沿い状態も維持され、蓋２０の側フラップ片１３、１３の膨らみも抑制されて、蓋２０の四角形状は維持される。このため、襠板１４を上板１１に貼着する必要はない。
このように、蓋２０は、貼着することなく四角箱状を維持する。但し、襠板１４を上板１１や襠板１４の両片１４ａ、１４ａ同士を貼着することもできる。
【００１７】
このように蓋２０が安定するため、図２の蓋１０が開いた状態において、商品の装填が容易である。商品の箱本体１０内への装填は、この状態でなくても、装填可能な状態なら何れでも良い。例えば、上記蓋２０を組み立てる前の箱本体１０（図６から箱本体１０を四角状にした状態）でも良い。
商品を装填すれは、図１に示すように箱本体１０に蓋２０を被せる。
【００１８】
この実施形態においては、一枚の紙製ブランクで作ったので、安価であり、蓋２０を箱本体１０と別部材で作成する場合に比べれば、作業工程も少なく、コストダウンとなる。
【００１９】
この発明に係る四角状包装箱の材料は、ボール紙に限らず、プラスチック板、ダンボール紙等の種々のものを採用できる。プラスチック製の場合、前板１、側板２、後板３及び底片（底板）５、６を一体成形の有底枠状周壁からなる四角箱本体１０とし、蓋２０を折り曲げ線ｒを介して連接した包装箱とし得る。
【符号の説明】
【００２０】
Ｐ  包装箱
１０  箱本体
２０  蓋
１  箱本体の前板
２  同側板
３  後板
５、６  同底片（底板）
７  同糊片
８  側板のフラップ片
１１  蓋の上板
１２  同前フラップ片
１３  同側フラップ片
１４  襠板
１４ａ  襠板の重ね片（両側片）
１５  襠板のフラップ片
ｒ、ｒ’  折り目線
ａ  折り目線の交点
【図１】
2020079113.tif 000003
【図２】
2020079113.tif 000004
【図３】
2020079113.tif 000005
【図４】
2020079113.tif 000006
【図５】
2020079113.tif 000007
【図６】
2020079113.tif 000008
【図７】
2020079113.tif 000009